(57)【特許請求の範囲】
【請求項１】
電力測定用の測定ユニットを複数備え、３相３線測定および３相４線測定のいずれかの測定を可能に前記複数の測定ユニットのうちの２つまたは３つを組み合わせる組み合わせ候補が予め決められており、測定ユニット組合せ用画面上で選択された組み合わせ候補の前記測定ユニットで前記いずれかの測定を実行可能な電力計であって、
表示部に表示画面を表示させる表示制御部を備え、
前記表示制御部は、前記選択された測定ユニットの各組み合わせにそれぞれ対応する画面見出しを前記表示部に表示させ、いずれかの前記画面見出しが指定されたときに、当該指定された画面見出しに対応する前記測定ユニットの組み合わせによって測定された前記いずれかの測定の測定結果を前記表示部に表示することを特徴とする電力計。
【発明の詳細な説明】
【０００１】
【発明の属する技術分野】
本発明は、複数の測定ユニットによって測定された各測定結果を表示部に表示可能な電力計に関するものである。
【０００２】
【従来の技術】
この種の電力計として、出願人は、図７に示す電力計７１を既に開発している。この電力計７１は、同図に示すように、様々な表示画面を切り替え表示可能な表示部２と、複数のスイッチが配設された操作部３と、フロッピーディスクドライブ（以下、「ＦＤＤ」という）４とを備えて構成されている。また、電力計７１は、図６に示すように、測定ユニットＵＮ１〜ＵＮ６を備えており（以下、区別しないときには「測定ユニットＵＮ」ともいう）、各測定ユニットＵＮを任意に組み合わせて３相４線測定などを行ったり、測定ユニットＵＮを個別的に用いて単相測定を行ったりすることができるように構成されている。
【０００３】
この電力計７１では、例えば、測定ユニットＵＮ１〜ＵＮ３を組み合わせて３相４線測定を行う場合には、まず、操作部３のＳＹＳＴＥＭキー１２を操作することにより、図７に示す表示選択用画面６１を表示部２に表示させる。次に、カーソル移動キー部６のキー６ｂを操作することにより、「測定値表示用画面」の部位に表示されているカーソル表示４１を「動作条件設定用画面」の部位に移動させ、その後に、ファンクションキー部５のキー５ｅを操作して、図８に示す設定対象選択用画面６２を表示部２に表示させる。次いで、カーソル表示４１を「ユニット」の部位に表示させた状態でキー５ｅを操作することにより、図９に示す測定ユニット組合せ用画面６３を表示部２に表示させる。この状態で、キー６ｂを操作することにより、組合せ候補「１」の部位に表示されているカーソル表示４１を組合せ候補「７」の部位に移動させた後に、キー５ｅを操作することにより組合せ候補「７」を選択する。これにより、測定ユニットＵＮ１〜ＵＮ３および測定ユニットＵＮ４〜ＵＮ６は、別個独立して３相４線測定を可能にそれぞれ組み合わされる。
【０００４】
一方、各測定ユニットＵＮの測定値を表示部２に表示させる場合には、操作部３のＤＩＳＰキー１３を操作することにより、図１０に示す測定値表示用画面６４を表示部２に表示させる。この場合、測定値表示用画面６４には、測定ユニットＵＮ１によって測定された各種の測定値が表示される。次いで、測定ユニットＵＮ２の測定値を表示部２に表示させる場合には、操作部３のＳＹＳＴＥＭキー１２を操作することにより、図７に示す表示選択用画面６１を表示部２に表示させる。次に、カーソル表示４１が「測定値表示用画面」の部位に表示されている状態でキー５ｅを操作することにより、図１１に示す表示チャンネル設定用画面６５を表示部２に表示させる。次いで、キー６ｂを操作することにより、「チャンネル１」の部位に表示されているカーソル表示４１を「チャンネル２」の部位に移動させ、その後に、キー５ｅを操作して「チャンネル２」を選択する。なお、「チャンネル」とは、各測定ユニットＵＮに入力される測定対象系列を意味し、チャンネルの番号と、測定ユニットＵＮの番号とが予め対応させられている。この後、ＤＩＳＰキー１３を操作することにより、測定ユニットＵＮ２の測定値が表示される測定値表示用画面６４（図示せず）が表示部２に表示される。
【０００５】
また、各測定ユニットＵＮの測定値などをＦＤＤ４を介してフロッピーディスクに記録したり、フロッピーディスクに記録されている測定値などのデータをＦＤＤ４を介して電力計７１に読み込んだりする場合には、まず、操作部３のＳＹＳＴＥＭキー１２を操作することにより、図７に示す表示選択用画面６１を表示部２に表示させる。次に、キー６ｂを操作してカーソル表示４１を「ＦＤＤ操作用画面」の部位に移動させ、その後に、キー５ｅを操作することにより、ＦＤＤ操作用画面（図示せず）を表示部２に表示させる。この後、フロッピーディスクをＦＤＤ４に挿入し、操作部３の各キーを操作することにより、測定値表示用画面６４に表示されている測定値などをフロッピーディスクに記録したり、フロッピーディスクから読み込んだりすることができる。
【０００６】
【発明が解決しようとする課題】
ところが、出願人が既に開発している電力計７１には、以下の改善すべき点がある。
すなわち、例えば、測定ユニットＵＮ１〜ＵＮ３を組み合わせて３相４線測定を行い、その測定結果を総合的に検討するためには、その測定において使用した３つの測定ユニットＵＮ１〜ＵＮ３のすべての測定値を勘案する必要がある。一方、この電力計７１では、測定値表示用画面６４を各測定ユニットＵＮに対応させて個別的に切り替え表示している。このため、測定値表示用画面６４に表示されている測定ユニットＵＮの測定値、およびそれ以外の他の測定ユニットＵＮの測定値を、同時に確認しつつ、こられらの測定値相互間の関係などを検討したりすることはできない。したがって、３つの測定ユニットＵＮ１〜ＵＮ３の測定値の内容を総合的に検討するためには、最初に、測定ユニットＵＮ１の測定値を測定値表示用画面６４に表示させて内容検討した後、ＳＹＳＴＥＭキー１２を操作することにより表示選択用画面を一旦表示させ、次いで、測定ユニットＵＮ２用の測定値表示画面６４を表示させた上で再度検討する必要がある。また、測定ユニットＵＮ３の測定値についても、同様の操作を行って測定値表示用画面６４に表示させた上で検討する必要がある。このように、この電力計７１には、複数の測定ユニットＵＮの測定結果を比較しつつ総合的に検討するのが困難であるという改善すべき点がある。また、総合的に検討できたとしても、各測定ユニットの測定値を表示させるために操作部３の各キーを複数回操作しなければならず、その操作がやや煩雑であり、これを改善すべきとの要求もある。
【０００７】
本発明は、かかる問題点に鑑みてなされたものであり、関連する複数の測定ユニットの測定値を総合的に検討し易い状態に表示する電力計を提供することを主目的とする。
【０００８】
【課題を解決するための手段】
上記目的を達成すべく請求項１記載の電力計は、電力測定用の測定ユニットを複数備え、３相３線測定および３相４線測定のいずれかの測定を可能に前記複数の測定ユニットのうちの２つまたは３つを組み合わせる組み合わせ候補が予め決められており、測定ユニット組合せ用画面上で選択された組み合わせ候補の前記測定ユニットで前記いずれかの測定を実行可能な電力計であって、表示部に表示画面を表示させる表示制御部を備え、前記表示制御部は、前記選択された測定ユニットの各組み合わせにそれぞれ対応する画面見出しを前記表示部に表示させ、いずれかの前記画面見出しが指定されたときに、当該指定された画面見出しに対応する前記測定ユニットの組み合わせによって測定された前記いずれかの測定の測定結果を前記表示部に表示することを特徴とする。
【０００９】
例えば、３相４線測定や３相３線測定などを行う際に、最初に、これらの測定に必要とされる数の測定ユニットの組合せが、測定者によって予め決定される。このような状態において、その組合せ内のいずれか１つの測定ユニットが指定されると、この電力計では、選択された測定ユニットの各組み合わせにそれぞれ対応する画面見出しを表示部に表示させ、いずれかの画面見出しが指定されたときに、指定された画面見出しに対応する測定ユニットの組み合わせによって測定されたいずれかの測定の測定結果を表示部に表示する。したがって、測定者は、複数の測定ユニットの測定結果を同時に確認することができる。このため、表示画面を切り替えることなく、３相４線測定や３相３線測定などの測定結果を直ちに総合的に検討することが可能となる。
【００１０】
【発明の実施の形態】
以下、添付図面を参照して、本発明に係る電力計の実施の形態について説明する。なお、出願人が既に開発している電力計７１と同一の構成要素については、同一の符号を付して重複した説明を省略する。
【００１１】
最初に、電力計１の構成について図１，６を参照して説明する。
【００１２】
電力計１は、図１に示すように、ＬＣＤパネルで構成された表示部２と、操作部３と、３．５インチのフロッピーディスク（以下、「ＦＤ」という）を読み書き可能なＦＤＤ４とを備えている。操作部３には、状況に応じて様々な機能が割り付けられるキー５ａ〜５ｅを有するファンクションキー部５と、表示部２に表示されるカーソル表示４１（同図では図示しない）を上下左右に移動するためのキー６ａ〜６ｄを有するカーソル移動キー部６と、後述する測定値表示用画面５１などを表示部２に表示するためのＭＥＡＳキー７と、測定ユニット組合せ用画面５２（図２参照）などを表示部２に表示するためのＳＴＡＴＵＳキー８と、ＦＤＤ操作用画面５３（図３参照）を表示部２に表示するためのＦＤＤキー９と、後述するタブ４０の反転表示を移動表示させて任意の表示画面を指定するためのキー１０ａ，１０ｂを有するページ切り替えキー部１０と、電源スイッチ１１とが配設されている。
【００１３】
また、電力計１は、図６に示すように、測定ユニットＵＮ１〜ＵＮ６、ＣＰＵ２１、ＲＯＭ２２およびＲＡＭ２３を備えている。各測定ユニットＵＮは、各々が各線間の電圧Ｕ１〜Ｕ６および各線を流れる電流Ｉ１〜Ｉ６を測定可能に構成されており、これらの測定ユニットＵＮを任意に組み合わせて三相交流などの電圧および電流を総合的に測定することができる。例えば、測定ユニットＵＮ１，ＵＮ２を組み合わせることにより３相３線測定を行うことができ、測定ユニットＵＮ１〜ＵＮ３を組み合わせることにより３相４線測定を行うことができ、また、各測定ユニットＵＮを個別的に用いることにより単相測定を行うことができる。ＣＰＵ２１は、本発明における表示制御部に相当し、表示部２に各種の表示画面を表示させる際の表示制御や、各測定ユニットＵＮによって測定された測定結果の演算を実行する。また、ＣＰＵ２１は、複数の測定ユニットＵＮ，ＵＮの測定値を１つの測定値表示用画面５１に一括表示する際に、動作プログラムに従い、各測定値を所定の位置に配列表示するための表示処理を実行する。ＲＯＭ２２は、表示部２に表示する各種の表示画面が属するグループに関するデータ、各種の表示画面にそれぞれ対応する画面見出しに関するデータ、およびＣＰＵ２１の動作プログラムなどを記憶する。また、ＲＡＭ２３は、各測定ユニットＵＮの組み合わせ状態やＣＰＵ２１の演算結果などを一時的に記憶する。
【００１４】
次に、各種の表示画面を表示部２に表示させる際の操作について図１〜５を参照して説明する。
【００１５】
電源スイッチ１１が投入されて電力計１が起動すると、ＣＰＵ２１は、図１に示すように、ＭＥＡＳタブ３１、ＳＴＡＴＵＳタブ３２、およびＦＤＤタブ３３（以下、総称して「メインタブ」ともいう）からなるメイングループ表示部３０と、複数のタブ（本発明における画面見出し）４０，４０・・からなるサブグループ表示部３４とを、測定値表示用画面５１と共に表示部２に表示させる。
【００１６】
ＭＥＡＳタブ３１、ＳＴＡＴＵＳタブ３２、およびＦＤＤタブ３３は、それぞれ、測定値表示用画面５１の画面見出し、測定ユニット組合せ用画面５２などの動作条件設定用画面の画面見出し、およびＦＤＤ操作用画面５３の画面見出しを構成する。また、メイングループ表示部３０の各メインタブは、その一部が互いに重なり合って表示されており、表示部２に表示されている表示画面に対応するメインタブが最前面に表示される。具体的には、図１，４に示すように、測定値表示用画面５１が表示部２に表示されているときには、ＭＥＡＳタブ３１が最前面に表示され、図２に示すように、測定ユニット組合せ用画面５２などの動作条件設定用画面が表示部２に表示されているときには、ＳＴＡＴＵＳタブ３２が最前面に表示され、図３に示すように、ＦＤＤ操作用画面５３が表示部２に表示されているときには、ＦＤＤタブ３３が最前面に表示される。サブグループ表示部３４は、各測定ユニットＵＮ１〜ＵＮ６の測定値を表示する各測定値表示用画面５１や、効率および外部装置などにそれぞれ対応する複数のタブ４０，４０・・から構成され、表示部２に現に表示されている表示画面に対応するタブ４０の文字が白黒反転表示される。図１に示す表示部２では、測定ユニットＵＮ１に対応する測定値表示用画面５１が表示されているため、サブグループ表示部３４の「１ｃｈ」の文字が表示されたタブ４０の部位が白黒反転表示されている。
【００１７】
次いで、例えば、測定ユニットＵＮ１〜ＵＮ３を相互に組み合わせて３相４線測定を行う場合には、まず、ＳＴＡＴＵＳキー８を操作することにより、図２に示す測定ユニット組合せ用画面５２を表示部２に表示させる。この際に、表示部２には、同図に示すように、電力計１における各部の動作条件を設定するための複数の動作条件設定用画面にそれぞれ対応するタブ３６，３６・・からなるサブグループ表示部３５が表示され、測定ユニット組合せ用画面５２に対応する「ユニット」のタブ３６が白黒反転表示される。次に、測定ユニットＵＮ１〜ＵＮ３を組み合わすために、キー６ｂを操作することにより、測定ユニット組合せ用画面５２における組合せ候補「１」の部位に表示されているカーソル表示４１を組合せ候補「７」の部位に移動させ、その後に、キー５ｅを操作することにより組合せ候補「７」を選択する。これにより、測定ユニットＵＮ１〜ＵＮ３および測定ユニットＵＮ４〜ＵＮ６が、相互に組み合わされ、各組がそれぞれ３相４線測定を行うことができるように設定される。
【００１８】
この後、各測定ユニットＵＮの測定値を表示部２に表示させるには、ＭＥＡＳキー７を操作することにより、図４に示す測定値表示用画面５１を表示部２に表示させる。この場合、同図に示すように、表示部２には、前述した各測定ユニットＵＮの組合せに従い、サブグループ表示部３４の「１ｃｈ」、「２ｃｈ」および「３ｃｈ」の３つのタブ４０，４０，４０が白黒反転表示される。また、ＣＰＵ２１は、この際に、測定ユニットＵＮ１〜ＵＮ３の各測定値をＲＡＭ２３から読み込み、ＲＯＭ２２に記憶されている動作プログラムに従い、読み込んだ各測定値を所定位置に配列表示させる。これにより、表示部２には、測定ユニットＵＮ１〜ＵＮ３によってそれぞれ測定された各測定値を一括表示した測定値表示用画面５１が表示される。この状態で、測定ユニットＵＮ４〜ＵＮ６の測定値を表示部２に表示させる場合には、ページ切り替えキー部１０のキー１０ｂを操作することにより、白黒反転表示を右方向に移動させる。これにより、図５に示すように、表示部２には、前述した各測定ユニットＵＮの組合せに従い、サブグループ表示部３４の「４ｃｈ」、「５ｃｈ」および「６ｃｈ」の３つのタブ４０，４０，４０が白黒反転表示される。また、この際に、ＣＰＵ２１が上記した配列表示の処理を実行することにより、表示部２には、測定ユニットＵＮ４〜ＵＮ６によってそれぞれ測定された各測定値を一括表示した測定値表示用画面５１が表示される。
【００１９】
一方、例えば、測定値表示用画面５１に表示された各測定ユニットＵＮの測定値をＦＤに記録する場合には、ＦＤＤキー９を操作することにより、図３に示すＦＤＤ操作用画面５３を表示部２に表示する。次いで、データファイル名などを操作部３の各キーを操作することによって設定した後に、ＦＤＤ４にＦＤを挿入してデータを記録する。
【００２０】
以上のように、この電力計１では、ＭＥＡＳキー７、ＳＴＡＴＵＳキー８、ＦＤＤキー９およびページ切り替えキー部１０の各キー１０ａ，１０ｂを操作して任意のタブ３１〜３３，３６，３６・・，４０，４０・・を指定することにより、所望する表示画面を容易かつ迅速に表示させることができる。また、複数の測定ユニットＵＮ，ＵＮの測定値を１つの測定値表示用画面５１に一括表示するため、３相４線式測定や３相３線式測定の測定結果を総合的に検討することができる。
【００２１】
なお、本発明は、上記した本発明の実施の形態に示した構成に限定されない。例えば、複数の測定ユニットＵＮ１〜ＵＮ３などの測定値を測定値表示用画面５１に一括表示する際の表示形式については必要に応じて適宜変更することができる。
【００２２】
また、本発明の実施の形態では、電力計１の正面に表示部２を配設した例について説明しているが、信号ケーブルなどによって接続された装置外部のモニタなどに各種の表示画面を表示させることもできる。
【００２３】
【発明の効果】
以上のように、請求項１記載の電力計によれば、選択された測定ユニットの各組み合わせにそれぞれ対応する画面見出しを表示部に表示させ、いずれかの画面見出しが指定されたときに、指定された画面見出しに対応する測定ユニットの組み合わせによって測定されたいずれかの測定の測定結果を表示部に表示することにより、表示画面の切替え操作を不要にすることができる結果、例えば、３相４線測定や３相３線測定などの測定結果に対する総合的な検討を迅速かつ確実に行うことができる。
【図面の簡単な説明】
【図１】  本発明の実施の形態に係る電力計１の正面図である。
【図２】  本発明の実施の形態に係る電力計１において測定ユニット組合せ用画面５２を表示している際の表示部２の表示画面図である。
【図３】  本発明の実施の形態に係る電力計１においてＦＤＤ操作用画面５３を表示している際の表示部２の表示画面図である。
【図４】  本発明の実施の形態に係る電力計１において測定値表示用画面５１を表示している際の表示部２の表示画面図である。
【図５】  本発明の実施の形態に係る電力計１において他の測定値表示用画面５１を表示している際の表示部２の表示画面図である。
【図６】  本発明の実施の形態に係る電力計１および出願人が既に開発している電力計７１の電気的構成を示すブロック図である。
【図７】  出願人が既に開発している電力計７１の正面図である。
【図８】  出願人が既に開発している電力計７１において設定対象選択用画面６２を表示している際の表示部２の表示画面図である。
【図９】  出願人が既に開発している電力計７１において測定ユニット組合せ用画面６３を表示している際の表示部２の表示画面図である。
【図１０】  出願人が既に開発している電力計７１において測定値表示用画面６４を表示している際の表示部２の表示画面図である。
【図１１】  出願人が既に開発している電力計７１において表示チャンネル設定用画面６５を表示している際の表示部２の表示画面図である。
【符号の説明】
１  電力計
２  表示部
２１  ＣＰＵ
５１  測定値表示用画面
５２  測定ユニット組合せ用画面
ＵＮ１〜ＵＮ６  測定ユニット
【図１】
0004202460.tif 000002
【図２】
0004202460.tif 000003
【図３】
0004202460.tif 000004
【図４】
0004202460.tif 000005
【図５】
0004202460.tif 000006
【図６】
0004202460.tif 000007
【図７】
0004202460.tif 000008
【図８】
0004202460.tif 000009
【図９】
0004202460.tif 000010
【図１０】
0004202460.tif 000011
【図１１】
0004202460.tif 000012